(57)【要約】      （修正有）【課題】酒瓶を持ち運ぶ際に酒質に適した温度を保ち、衝撃から守る安全性を備え、見た目の美しさも備えた、繰り返し使用が可能な酒瓶用保冷風呂敷を提供する。【解決手段】酒瓶用保冷風呂敷１は、断熱性に優れたシートを生地６で挟む３層構造を成すため、高い保温性と緩衝性をもち、一面の適所には保冷ポケット７が設けてある風呂敷であり、風呂敷本体２の一角にはゴム紐取り付けループ３を介して、長さ調節アジャスター５が備わった固定用のゴム紐輪４が設けてあることを特徴とする。【選択図】図１
0003214073.tif 000002
【実用新案登録請求の範囲】
【請求項１】
断熱性に富み、保冷力に優れたところの断熱シートを、高吸水・吸湿性の生地材の間に挟み込んで３層構造を成す風呂敷であって、
風呂敷の一角にはゴム紐取り付けループを介して、巻き留め固定用のゴム紐輪が設け  てあり、
ゴム紐輪には長さ調節アジャスターが備わっており、
風呂敷の一面の適所には保冷ポケットが設けてあることを特徴とする酒容器用風呂敷。
【考案の詳細な説明】
【技術分野】
【０００１】  本考案は、日本酒やワインの瓶、その他包むものに適する保冷性と緩衝性を有し、酒瓶を快適に持ち運ぶことができ、また瓶を包んだ状態でお酒を注ぐことができる保冷クーラーとしても使用できる風呂敷に関するものである。
【背景技術】
【０００２】  従来、日本酒やワインの瓶を持ち歩く際は、従来の布製風呂敷で包んだり、発泡スチロールのシートで包んだり、簡易の保冷袋に入れてもちはこんでいた。
【先行技術文献】
【０００３】
【実用新案文献１】
実登３１６４６３１
【実用新案文献２】
実登３１８６６０３
【考案の概要】
【考案が解決しようとする課題】
【０００４】  酒瓶を持ち運ぶ際、従来の風呂敷や新聞や発泡スチロールのシートで巻いただけで保冷力が足りず、酒質の安定を保つことが難しかった。また緩衝力が足りず、瓶の破損から守る力が弱かった。
また、ワイン用の保冷袋は変形瓶に対応することが難しく、また緩衝力も低いものが多かった。
また、実登文献１、実登文献２に示される先行技術は、布シートとアルミ蒸着またはアルミ箔を使用したラミネートフィルムのシートの間に発泡樹脂シートを備えた、１枚のシート状をなす構造のため、長時間保冷することが難しく緩衝力も弱かった。
またアルミ箔のシートが露出しているため、包むものの温度差から生じる水滴を吸収することができず、また外見上の美しさを保つことも難しかった。
また、実登文献１に示されるような四隅を畳むように物を包み、掛止め用ボタンで掛け止め用ボタンの位置から繰り出された輪型のゴム紐で止める構造では、極端に細長い形状の瓶を包む場合にはゴム紐を強く伸長させ幾重にも巻いてボタンにかけなくてはならず、適当な長さに調節することが難しかった。
また、実登文献２に示される先行技術は最も負荷のかかる、面ファスナーを有する第１結束テープと、被着用面ファスナーを有する第２結束テープが風呂敷本体に直接取り付けられていることにより、長期間の使用により密着性が失われるなどの劣化が起こった場合に対応することが難しかった。
本考案は、以上の問題点を解決するためになされたものである。
【課題を解決するための手段】
【０００５】  大きくは緩衝力と保冷力のある発泡スチロールシートにアルミシートが一体化した断熱シート又はそれに類する断熱力のあるシートを、吸水力のある布で挟んだ３層構造から成る風呂敷である。角の一箇所にゴムバンドを取り付けるためのループが縫いこまれており、そのループに長さを調節できるストッパーがついたゴムバンドが連結されている。風呂敷の裏面には保冷剤を入れるためのメッシュ素材のポケットが備えられている。
以上を特徴とする保冷風呂敷である。
【考案の効果】
【０００６】  従来、日本酒やワインのボトルを持ち運ぶ際は、簡易的なエアパッキンや新聞などで包むことが多く、長時間安全に温度を保ちながら持ち運ぶことは難しかった。しかしながら、緩衝力と保冷力のある発泡スチロールシートにアルミシートが一体化した断熱シートまたはそれと効果を同じくする断熱シートを、吸水力のある布で挟んだ３層構造を有する風呂敷で包むことで、断熱シートによる保冷効果に加え断熱シートと布の間の空気層があることで、より長時間安定した温度を保つことができる。また３層構造による厚みを持った風呂敷が幾重にも重なることでさらに安定した保冷力と高い緩衝力が期待でき、お酒を良い状態で安全に持ち運ぶことができる。
また、簡易的なエアパッキンや新聞などでは見た目の美しさに欠けるが、デザイン性のある色柄の風呂敷で包むことで、贈答用なども含め、きれいに持ち運ぶことができる。
また、一枚の風呂敷状であり、留め具の固定先を必要としない、長さを調節できるゴム紐をかけてストッパーでゴム紐の長さを調節して保定するため、変形した瓶や瓶以外の物にも幅広く対応することができる。
また、ゴム紐輪がゴム紐取り付けループを介して風呂敷本体に取り付けられていることから、長期間の使用によりゴム紐が劣化をした場合や、より強いゴム紐輪が必要となった場合など、必要に応じて適する紐輪につけ換えることができる。
また、包み終わりをむくように開くことで瓶自体は風呂敷に包まれたまま、瓶の注ぎ口部分を露出させることができ、保冷したままお酒を注ぐことができ、ボトルクーラーとしても使用できる。
【図面の簡単な説明】
【０００７】
【図１】本考案の実施の形態を示す図で、展開した状態の酒瓶用保冷風呂敷を示す
【図２】本考案の風呂敷本体の断面図
【図３】本考案の実施の形態を示す図で、酒瓶を包んだ状態の正面図
【図４】本考案の実施の形態を示す図で、ボトルクーラー状態の正面図
【考案を実施するための形態】
【０００８】  以下本考案の実施の形態・使用方法について説明する。
大きくは緩衝力と保冷力のある発泡スチロールシート（９）にアルミシート（１０）が一体化した断熱シート（８）またはそれに類するシートを、吸水力のある生地（６）で挟み、生地（６）と断熱シート（８）の間に空気層を有する３層構造から成る風呂敷で、瓶を幾重にも巻いて包むことで、風呂敷が瓶を２重、３重に保護し、温度変化を防止する空気層と断熱シートが重なる形になり、内容物の破損、温度変化を大幅に抑えることができる。
また、袋状でなく風呂敷状であるため、瓶を包む際、包み終わりの閉じ口を広げることで、簡易ボトルクーラー様に使用することができる。
風呂敷本体（２）の角の一箇所にゴム紐輪（４）を取り付けるための、ゴム紐取り付けループ（３）が縫いこまれており、そのゴム紐取り付けループ（３）に、ゴム紐輪（４）の長さを調節できる長さ調節アジャスター（５）が取り付けられたゴム紐輪（４）が連結されている。ゴム紐取り付けループ（３）にゴム紐輪（４）を連結する形式をとることで、保定する際に負荷のかかるゴム紐輪（４）が劣化した際、容易に取り換えることができ長く使用することができる。また、ゴム紐輪（４）に長さ調節アジャスター（５）を取り付けることで、包む内容物の大きさや形状によって、ゴム紐輪（４）の必要な長さが変わるという点に細かく対応することができる。
また、使用しない時には小さくたたみゴム紐輪（４）でしっかりとめることで、コンパクトに片付けることができる。
風呂敷の一面の適所には保冷剤を入れるためのメッシュ素材の保冷ポケット（７）が備えられているため、保冷剤を入れて内容物を包むことができ、更に保冷効果を高めることができ、かつ、瓶の包み終わりの閉じ口を押し広げ、ボトルクーラーとして使用する際にも長時間お酒を冷やした良い状態を保つことができる。
【符号の説明】
【０００９】１  酒瓶用保冷風呂敷，    ２  風呂敷本体，    ３  ゴム紐取り付けループ，
４  ゴム紐輪，    ５  長さ調節アジャスター，    ６  生地，
７  保冷ポケット，    ８  断熱シート，    ９  発泡スチロールシート，
１０  アルミシート，
【図１】
0003214073.tif 000003
【図２】
0003214073.tif 000004
【図３】
0003214073.tif 000005
【図４】
0003214073.tif 000006